(57)【要約】  本発明に係る空気調和システムは、第１圧縮機の運転周波数と、第１圧縮機の運転効率が最大となる第１周波数との大小関係と、第２圧縮機の運転周波数と、第２圧縮機の運転効率が最大となる第２周波数との大小関係と、に基づき、目標吹出温度を変更するものである。
2015173896.tif 000002
【特許請求の範囲】
【請求項１】
第１圧縮機、第１室外熱交換器、第１膨張弁、および室内熱交換器を配管で接続し、冷媒が循環する第１冷媒回路と、
室内の室内空気を前記室内熱交換器に通過させたあと、前記室内へ供給する室内機と、
前記室内空気の温度が目標室内温度となるように前記第１圧縮機の運転周波数を制御する第１周波数制御手段と、
第２圧縮機、第２室外熱交換器、第２膨張弁、および換気用熱交換器を配管で接続し、冷媒が循環する第２冷媒回路と、
室外から室外空気を導入し、前記換気用熱交換器を通過させたあと、前記室内へ吹出空気を供給する換気装置と、
前記吹出空気の温度が目標吹出温度となるように前記第２圧縮機の運転周波数を制御する第２周波数制御手段と、
前記目標吹出温度の設定値を、前記第１圧縮機の周波数および前記第２圧縮機の周波数に基づいて変更する設定値制御手段と、を備えた
空気調和システム。
【請求項２】
前記設定値制御手段は、
前記第１圧縮機の運転周波数と、前記第１圧縮機の運転効率が最大となる第１周波数との大小関係と、
前記第２圧縮機の運転周波数と、前記第２圧縮機の運転効率が最大となる第２周波数との大小関係と、に基づき、
前記目標吹出温度を変更する
請求項１に記載の空気調和システム。
【請求項３】
前記設定値制御手段は、
前記第１圧縮機の運転周波数が、前記第１周波数よりも小さく、かつ、
前記第２圧縮機の運転周波数が、前記第２周波数よりも小さい場合、
前記目標吹出温度を増加させる
請求項１または２に記載の空気調和システム。
【請求項４】
前記設定値制御手段は、
前記第１圧縮機の運転周波数が、前記第１周波数よりも小さく、かつ、
前記第２圧縮機の運転周波数が、前記第２周波数よりも大きい場合、
前記目標吹出温度を増加させる
請求項１〜３の何れか一項に記載の空気調和システム。
【請求項５】
前記設定値制御手段は、
前記第１圧縮機の運転周波数が、前記第１周波数よりも大きく、かつ、
前記第２圧縮機の運転周波数が、前記第２周波数よりも小さい場合、
前記目標吹出温度を減少させる
請求項１〜４の何れか一項に記載の空気調和システム。
【請求項６】
前記設定値制御手段は、
前記第１圧縮機の運転周波数と、前記第１周波数との差が大きいほど、前記目標吹出温度の変化量を大きくする
請求項１〜５の何れか一項に記載の空気調和システム。
【請求項７】
前記設定値制御手段は、
前記第２圧縮機の運転周波数と、前記第２周波数との差が大きいほど、前記目標吹出温度の変化量を大きくする
請求項１〜６の何れか一項に記載の空気調和システム。
【請求項８】
前記設定値制御手段は、
前記第１周波数を含む周波数の範囲である第１周波数範囲が予め設定され、
前記第１圧縮機の運転周波数が、前記第１周波数範囲内でない場合、
前記目標吹出温度の変更を実施する
請求項１〜７の何れか一項に記載の空気調和システム。
【請求項９】
前記設定値制御手段は、
前記第２周波数を含む周波数の範囲である第２周波数範囲が予め設定され、
前記第２圧縮機の運転周波数が、前記第２周波数範囲内でない場合、
前記目標吹出温度の変更を実施する
請求項１〜８の何れか一項に記載の空気調和システム。
【請求項１０】
前記設定値制御手段は、
前記目標吹出温度を変更したあと、予め設定した時間を経過したとき、
前記第１圧縮機の運転周波数と、前記第１周波数との大小関係と、
前記第２圧縮機の運転周波数と、前記第２周波数との大小関係と、に基づき、
前記目標吹出温度を、再度変更する
請求項１〜９の何れか一項に記載の空気調和システム。
【請求項１１】
前記第１冷媒回路と前記室内機とから構成される第１冷媒系統を複数備え、
前記設定値制御手段は、
複数の前記第１冷媒系統のそれぞれの前記第１圧縮機の運転周波数の平均値を、
前記第１圧縮機の運転周波数とする
請求項１〜１０の何れか一項に記載の空気調和システム。
【請求項１２】
前記第２冷媒回路と前記換気装置とから構成される第２冷媒系統を複数備え、
前記設定値制御手段は、
複数の前記第２冷媒系統のそれぞれの前記第２圧縮機の運転周波数の平均値を、
前記第２圧縮機の運転周波数とする
請求項１〜１１の何れか一項に記載の空気調和システム。
【請求項１３】
前記第１冷媒回路と前記室内機とから構成される第１冷媒系統と、
前記第２冷媒回路と前記換気装置とから構成される第２冷媒系統と、をそれぞれ複数備え、
前記設定値制御手段は、
複数の前記第１冷媒系統のそれぞれの前記第１圧縮機の運転周波数の平均値を、前記第１圧縮機の運転周波数とし、
複数の前記第２冷媒系統のそれぞれの前記第２圧縮機の運転周波数の平均値を、前記第２圧縮機の運転周波数とする
請求項１〜１０の何れか一項に記載の空気調和システム。
【請求項１４】
第１圧縮機、第１室外熱交換器、第１膨張弁、および室内熱交換器を配管で接続し、冷媒が循環する第１冷媒回路と、
室内の室内空気を前記室内熱交換器に通過させたあと、前記室内へ供給する室内機と、
前記室内空気の温度が目標室内温度となるように前記第１冷媒回路の蒸発温度を制御する第１蒸発温度制御手段と、
第２圧縮機、第２室外熱交換器、第２膨張弁、および換気用熱交換器を配管で接続し、冷媒が循環する第２冷媒回路と、
室外から室外空気を導入し、前記換気用熱交換器を通過させたあと、前記室内へ吹出空気を供給する換気装置と、
前記吹出空気の温度が目標吹出温度となるように前記第２冷媒回路の蒸発温度を制御する第２蒸発温度制御手段と、
前記目標吹出温度の設定値を、前記第１冷媒回路の蒸発温度および前記第２冷媒回路の蒸発温度に基づいて変更する設定値制御手段と、
を備えた
空気調和システム。
【請求項１５】
前記設定値制御手段は、
前記第１冷媒回路の蒸発温度と前記第２冷媒回路の蒸発温度との大小関係と、に基づき、
前記目標吹出温度を変更する
請求項１４に記載の空気調和システム。
【請求項１６】
前記室内熱交換器は、前記換気用熱交換器よりも熱交換量が大きく、
前記設定値制御手段は、
前記室内熱交換器および前記換気用熱交換器が蒸発器として機能する場合において、
前記第１冷媒回路の蒸発温度が前記第２冷媒回路の蒸発温度よりも小さい場合、
前記目標吹出温度を減少させる
請求項１４または１５に記載の空気調和システム。
【請求項１７】
前記換気用熱交換器は、前記室内熱交換器よりも熱交換量が大きく、
前記設定値制御手段は、
前記室内熱交換器および前記換気用熱交換器が蒸発器として機能する場合において、
前記第２冷媒回路の蒸発温度が前記第１冷媒回路の蒸発温度よりも小さい場合、
前記目標吹出温度を増加させる
請求項１４または１５に記載の空気調和システム。
【請求項１８】
前記設定値制御手段は、
前記第１冷媒回路の蒸発温度と前記第２冷媒回路の蒸発温度との差が大きいほど、前記目標吹出温度の変化量を大きくする
請求項１４〜１７の何れか一項に記載の空気調和システム。
【請求項１９】
前記設定値制御手段は、
前記第１冷媒回路の蒸発温度と前記第２冷媒回路の蒸発温度との差が、予め設定された温度差以上の場合、
前記目標吹出温度の変更を実施する
請求項１４〜１８の何れか一項に記載の空気調和システム。
【請求項２０】
前記設定値制御手段は、
前記目標吹出温度を変更したあと、予め設定した時間を経過したとき、
前記第１冷媒回路の蒸発温度と前記第２冷媒回路の蒸発温度との大小関係に基づき、
前記目標吹出温度を、再度変更する
請求項１４〜１９の何れか一項に記載の空気調和システム。
【請求項２１】
前記第１冷媒回路と前記室内機とから構成される第１冷媒系統を複数備え、
前記設定値制御手段は、
複数の前記第１冷媒系統のそれぞれの前記第１冷媒回路の蒸発温度の平均値を、
前記第１冷媒回路の蒸発温度とする
請求項１４〜２０の何れか一項に記載の空気調和システム。
【請求項２２】
前記第２冷媒回路と前記換気装置とから構成される第２冷媒系統を複数備え、
前記設定値制御手段は、
複数の前記第２冷媒系統のそれぞれの前記第２冷媒回路の蒸発温度の平均値を、
前記第２冷媒回路の蒸発温度とする
請求項１４〜２１の何れか一項に記載の空気調和システム。
【請求項２３】
前記第１冷媒回路と前記室内機とから構成される第１冷媒系統と、
前記第２冷媒回路と前記換気装置とから構成される第２冷媒系統と、をそれぞれ複数備え、
前記設定値制御手段は、
複数の前記第１冷媒系統のそれぞれの前記第１冷媒回路の蒸発温度の平均値を、前記第１冷媒回路の蒸発温度とし、
複数の前記第２冷媒系統のそれぞれの前記第２冷媒回路の蒸発温度の平均値を、前記第２冷媒回路の蒸発温度とする
請求項１４〜２０の何れか一項に記載の空気調和システム。
【発明の詳細な説明】
【技術分野】
【０００１】
本発明は、換気装置を備えた空気調和システムに関するものである。
【背景技術】
【０００２】
従来より、冷媒回路（冷凍サイクル）を有する空気調和装置と換気装置とを備えた空気調和システムがある。
空気調和装置の冷媒回路は、圧縮機、四方弁、室外熱交換器、膨張弁、および室内熱交換器が順次配管で接続されて冷媒が循環するように構成されている。
冷房運転時は、圧縮機で圧縮された高温高圧のガス冷媒を室外熱交換器に送り込み、室外熱交換器で室内空気と熱交換することにより冷媒を液化する。液化した冷媒は、減圧装置で減圧されて気液二相状態となり、室内熱交換器に流入する。室内熱交換器に流入した冷媒は室内空気と熱交換し、室内空気から熱を吸収してガス化する。一方で、室内空気は熱を奪われるため室内空間が冷房される。ガス化した冷媒は圧縮機に戻る。【０００３】
また、換気装置は、室内の空気を室外の新鮮空気と入れ換える運転を行っている。具体的には、室外の空気を室内に供給する一方、室内の空気を室外に排出している。
このため、この種の換気装置を備えた空気調和システムでは、冷房時、室外から導入される室外空気のエンタルピーが高い場合は、室外空気が冷房負荷（外気負荷）となる。そのため、換気装置によって室外空気の温度を調節したあと室内へ供給している。【０００４】
特許文献１に記載の技術では、空調機と外気処理装置（換気装置）とを備えた空調システムにおいて、空調機が発揮すべき第１目標空調能力と、外気処理機が発揮すべき第２目標空調能力とを、第１目標空調能力と第２目標空調能力の和が空調システム全体に要求される空調能力と等しくなるという条件下において空調機及び外気処理機の消費電力が最小となるように決定する。
【先行技術文献】
【特許文献】
【０００５】
【特許文献１】特開２０１０−１２１９１２号公報（要約）
【発明の概要】
【発明が解決しようとする課題】
【０００６】
しかしながら、特許文献１に記載の技術では、目標とする空調能力を決定するためには、空調負荷を逐次推算する必要がある。このため、推算精度の低下によって省エネルギー性が低下するという課題がある。また、空調負荷の推算を逐次実施するのは演算装置の演算処理負荷が大きいため、外気温度、外気湿度、および内部負荷の時間変化に追従することが困難であるという課題がある。【０００７】
本発明は、上記課題を解決するためになされたもので、換気装置を備えた空気調和システムにおいて、省エネルギー性を向上することができる空気調和システムを得ることを目的とする。
【課題を解決するための手段】
【０００８】
本発明に係る空気調和システムは、第１圧縮機、第１室外熱交換器、第１膨張弁、および室内熱交換器を配管で接続し、冷媒が循環する第１冷媒回路と、室内の室内空気を前記室内熱交換器に通過させたあと、前記室内へ供給する室内機と、前記室内空気の温度が目標室内温度となるように前記第１圧縮機の運転周波数を制御する第１周波数制御手段と、第２圧縮機、第２室外熱交換器、第２膨張弁、および換気用熱交換器を配管で接続し、冷媒が循環する第２冷媒回路と、室外から室外空気を導入し、前記換気用熱交換器を通過させたあと、前記室内へ吹出空気を供給する換気装置と、前記吹出空気の温度が目標吹出温度となるように前記第２圧縮機の運転周波数を制御する第２周波数制御手段と、前記目標吹出温度の設定値を、前記第１圧縮機の周波数および前記第２圧縮機の周波数に基づいて変更する設定値制御手段と、を備えたものである。
【発明の効果】
【０００９】
本発明によれば、換気装置を備えた空気調和システムにおいて、省エネルギー性を向上することができる。
【図面の簡単な説明】
【００１０】
【図１】本発明の実施の形態１における空気調和システムの構成を示す概略図である。
【図２】本発明の実施の形態１における空気調和システムの冷媒系統の概略図である。
【図３】本発明の実施の形態１における空気調和システムの換気装置の構成を示す概略図である。
【図４】本発明の実施の形態１における冷媒系統の概略図である。
【図５】一般的な圧縮機の周波数と全断熱効率との関係を示す図である。
【図６】本発明の実施の形態１における空気調和システムの目標吹出温度の制御動作を説明する図である。
【図７】本発明の実施の形態１における空気調和システムの目標吹出温度の制御動作を説明する図である。
【図８】本発明の実施の形態１における空気調和システムの目標吹出温度の制御動作を説明する図である。
【図９】本発明の実施の形態１における空気調和システムの動作を示すフローチャートである。
【図１０】本発明の実施の形態１における空気調和システムの目標吹出温度の制御動作の変形例１を示す図である。
【図１１】本発明の実施の形態１における空気調和システムの動作の変形例２を示すフローチャートである。
【図１２】本発明の実施の形態１における空気調和システムの変形例３を示す概略図である。
【図１３】本発明の実施の形態２における冷媒系統の概略図である。
【図１４】一般的な冷媒回路における蒸発温度と効率との関係を示す図である。
【図１５】本発明の実施の形態２における空気調和システムの目標吹出温度の制御動作を説明する図である。
【図１６】本発明の実施の形態２における空気調和システムの目標吹出温度の制御動作を説明する図である。
【図１７】本発明の実施の形態２における空気調和システムの変形例３を示す概略図である。
【発明を実施するための形態】
【００１１】
実施の形態１．
図１は、本発明の実施の形態１における空気調和システムの構成を示す概略図である。
図１に示すように、空気調和システム１００は、１個または複数の室内機１と、室内機系統の室外機２と、１個または複数の換気装置３と、換気装置系統の室外機４と、集中コントローラ１０２とを備えている。
１個または複数の室内機１と、室内機系統の室外機２は、冷媒配管１０４で接続されている。室内機１は室内２００に配置され、室内機系統の室外機２は室外に配置されている。
１個または複数の換気装置３と、換気装置系統の室外機４は、冷媒配管１０５で接続されている。換気装置３は室内２００に配置され、換気装置系統の室外機４は室外に配置されている。
集中コントローラ１０２は、室内機１、室内機系統の室外機２、換気装置３、および換気装置系統の室外機４のそれぞれと、伝送線１０３で接続されている。
【００１２】
図２は本発明の実施の形態１における空気調和システムの冷媒系統の概略図である。
図２に示すように、空気調和システム１００は、室内機系統である第１冷媒系統１１と、換気装置系統である第２冷媒系統２１との２つの冷媒系統を備えている。
第１冷媒系統１１は、圧縮機１２、四方弁１３、室外熱交換器１４、膨張弁１５、室内熱交換器１６、室外熱交換器１４用の送風機１７、および室内熱交換器１６用の送風機１８を備える。
圧縮機１２、四方弁１３、室外熱交換器１４、膨張弁１５、および室内熱交換器１６は、順次配管で接続され、冷媒が循環する冷媒回路を構成する。
圧縮機１２、四方弁１３、室外熱交換器１４、および送風機１７は、室外機２に設置されている。
膨張弁１５、室内熱交換器１６、および送風機１８は、室内機１に設置されている。
【００１３】
第２冷媒系統２１は、圧縮機２２、四方弁２３、室外熱交換器２４、膨張弁２５、冷却器２６、および室外熱交換器２４用の送風機２７を備える。
圧縮機２２、四方弁２３、室外熱交換器２４、膨張弁２５、および冷却器２６は、順次配管で接続され、冷媒が循環する冷媒回路を構成する。
圧縮機２２、四方弁２３、室外熱交換器２４、および送風機２７は、室外機４に設置されている。
膨張弁２５、および冷却器２６は、換気装置３に設置されている。
【００１４】
図３は、本発明の実施の形態１における空気調和システムの換気装置の構成を示す概略図である。
図３に示すように、換気装置３は、本体ケーシング内に、冷却器２６と、給気用送風機２８と、排気用送風機２９とを備えている。また、本体ケーシング内には、給気通風路Ａと排気通風路Ｂとが互いに独立して形成されている。
給気通風路Ａは、給気用送風機２８により室外空気ＯＡを取り入れて冷却器２６に通過させ、吹出空気ＳＡとして室内２００に供給する通風路である。
排気通風路Ｂは、排気用送風機２９により室内空気ＲＡを取り入れて、排気ＥＡとして室外に排気する通風路である。
換気装置３は更に、吹出空気ＳＡの温度を検出する吹出空気温度検出手段３０を備えている。
なお、室外空気ＯＡと室内空気ＲＡとの全熱交換を行う全熱交換器を搭載した換気装置としても良い。
【００１５】
図４は本発明の実施の形態１における冷媒系統の概略図である。
図１においては図示省略していたが、第１冷媒系統１１および第２冷媒系統２１には、図４に示すように各種検出装置および制御装置が設けられている。
第１冷媒系統１１は、圧縮機周波数制御手段４１と、吸込温湿度検出手段４３とを備えている。
吸込温湿度検出手段４３は、複数の室内機１のそれぞれに設けられている。吸込温湿度検出手段４３は、室内機１の吸込空気（室内空気）の温湿度を検出する。
圧縮機周波数制御手段４１は、圧縮機１２の駆動モータの回転数（運転周波数）を制御することで、圧縮機２２の運転容量を可変する。
また、圧縮機周波数制御手段４１は、集中コントローラ１０２から室内空気ＲＡの温度の設定値である目標室内温度の情報を取得する。そして、圧縮機周波数制御手段４１は、吸込温湿度検出手段４３が検出した室内空気ＲＡの温度が目標室内温度となるように圧縮機１２の運転周波数を制御する。
さらに、圧縮機周波数制御手段４１は、圧縮機１２の現在の運転周波数Ｆｉの情報を集中コントローラ１０２へ送信する。
【００１６】
第２冷媒系統２１は、圧縮機周波数制御手段５１を備えている。
圧縮機周波数制御手段５１は、圧縮機２２の駆動モータの回転数（運転周波数）を制御することで、圧縮機２２の運転容量を可変する。
また、圧縮機周波数制御手段５１は、集中コントローラ１０２から吹出空気ＳＡの温度の設定値である目標吹出温度の情報を取得する。そして、圧縮機周波数制御手段５１は、吹出空気温度検出手段３０が検出した吹出空気ＳＡの温度が目標吹出温度となるように圧縮機２２の運転周波数を制御する。
さらに、圧縮機周波数制御手段５１は、圧縮機２２の現在の運転周波数Ｆｖの情報を集中コントローラ１０２へ送信する。
【００１７】
集中コントローラ１０２は、目標吹出温度の設定値を変更し、目標吹出温度の情報を圧縮機周波数制御手段５１へ送信する。詳細は後述する。
【００１８】
なお、吹出空気温度検出手段３０、および吸込温湿度検出手段４３は、センサー装置によって構成されている。
圧縮機周波数制御手段４１、圧縮機周波数制御手段５１、集中コントローラ１０２は、これらの機能を実現する回路デバイスなどのハードウェアで実現することもできるし、マイコンやＣＰＵなどの演算装置上で実行されるソフトウェアとして実現することもできる。
なお、圧縮機周波数制御手段４１、および圧縮機周波数制御手段５１を、集中コントローラ１０２に設けても良い。また、集中コントローラ１０２の機能を圧縮機周波数制御手段４１または圧縮機周波数制御手段５１に設けても良い。
【００１９】
なお、集中コントローラ１０２は、本発明における「設定値制御手段」に相当する。
また、冷却器２６は、本発明における「換気用熱交換器」に相当する。
【００２０】
次に、冷房運転時と暖房運転時の冷媒回路の動作を説明する。
【００２１】
まず、冷房運転時の動作を説明する。
第１冷媒系統１１において、圧縮機１２から吐出された高温高圧のガス冷媒は、四方弁１３を通過して室外熱交換器１４へと流れて室外空気と熱交換して凝縮液化する。凝縮液化した冷媒は、膨張弁１５で減圧され低圧の気液二相冷媒となり、室内熱交換器１６へと流れて空気と熱交換してガス化する。ガス化した冷媒は、四方弁１３を通過して圧縮機１２に吸入される。
これにより、室内熱交換器１６用の送風機１８で送られる室内空気は冷やされて室内２００に吹出され、室内２００を冷房する。
【００２２】
第２冷媒系統２１において、圧縮機２２から吐出された高温高圧のガス冷媒は、四方弁２３を通過して室外熱交換器２４へと流れ、給気通風路Ａを通過する室外空気ＯＡと熱交換して凝縮液化する。凝縮液化した冷媒は、膨張弁２５で減圧され低圧の気液二相冷媒となり、冷却器２６へと流れて室外空気ＯＡと熱交換してガス化する。ガス化した冷媒は、四方弁２３を通過して圧縮機２２に吸入される。
これにより、給気通風路Ａを通過する室外空気ＯＡは給気用送風機２８で冷やされて、冷やされた空気は吹出空気ＳＡとして室内２００へ供給される。
【００２３】
次に、暖房運転時の動作を説明する。
第１冷媒系統１１において、圧縮機１２から吐出された高温高圧のガス冷媒は、四方弁１３を通過して室内熱交換器１６へと流れて室内空気と熱交換して凝縮液化する。凝縮液化した冷媒は膨張弁１５で減圧され低圧の気液二相冷媒となり、室外熱交換器１４へと流れて空気と熱交換してガス化する。ガス化した冷媒は四方弁１３を通過して圧縮機１２に吸入される。
これにより、室内熱交換器１６用の送風機１８で送られる室内空気は暖められて室内２００に吹出され、室内２００を暖房する。
【００２４】
第２冷媒系統２１において、圧縮機２２から吐出された高温高圧のガス冷媒は、四方弁２３を通過して冷却器２６へと流れ、給気通風路Ａを通過する室外空気ＯＡと熱交換して凝縮液化する。凝縮液化した冷媒は膨張弁２５で減圧され低圧の気液二相冷媒となり、室外熱交換器２４へと流れて空気と熱交換してガス化する。ガス化した冷媒は四方弁２３を通過して圧縮機２２に吸入される。
これにより、給気通風路Ａを通過する室外空気ＯＡは給気用送風機２８で暖められて、暖められた空気は吹出空気ＳＡとして室内２００へ供給される。
【００２５】
なお、空気調和システム１００は、少なくとも暖房運転又は冷房運転のいずれかの運転を実施するもので良く、四方弁１３、２３は省略可能である。
【００２６】
（冷媒回路の能力調整動作）
次に冷房時、暖房時の能力調整動作について説明する。
【００２７】
まず、冷房運転時の能力調整動作を説明する。
第１冷媒系統１１において、圧縮機周波数制御手段４１は、吸込温湿度検出手段４３が検出した室内空気ＲＡの温度が、目標室内温度に一致するように圧縮機１２の周波数を制御する。具体的には、室内空気ＲＡが目標室内温度よりも低ければ、圧縮機１２の運転周波数を低下させ、または運転を停止させ、室内空気ＲＡが目標室内温度以上であれば、圧縮機１２の運転周波数を上昇させる制御となる。
第２冷媒系統２１において、圧縮機周波数制御手段５１は、吹出空気温度検出手段３０が検出した吹出空気ＳＡの温度が、目標吹出温度に一致するように圧縮機２２の周波数を制御する。具体的には、吹出空気ＳＡが目標吹出温度よりも低ければ、圧縮機２２の運転周波数を低下させ、または運転を停止させ、吹出空気ＳＡが目標吹出温度以上であれば、圧縮機１２の運転周波数を上昇させる制御となる。
【００２８】
次に、暖房運転時の能力調整動作を説明する。
第１冷媒系統１１において、圧縮機周波数制御手段４１は、吸込温湿度検出手段４３が検出した室内空気ＲＡの温度が、目標室内温度に一致するように圧縮機１２の周波数を制御する。具体的には、室内空気ＲＡが目標室内温度よりも低ければ、圧縮機１２の運転周波数を上昇させ、室内空気ＲＡが目標室内温度以上であれば、圧縮機１２の運転周波数を低下させ、または運転を停止させる制御となる。
第２冷媒系統２１において、圧縮機周波数制御手段５１は、吹出空気温度検出手段３０が検出した吹出空気ＳＡの温度が、目標吹出温度に一致するように圧縮機２２の周波数を制御する。具体的には、吹出空気ＳＡが目標吹出温度よりも低ければ、圧縮機２２の運転周波数を上昇させ、吹出空気ＳＡが目標吹出温度以上であれば、圧縮機１２の運転周波数を低下させ、または運転を停止させる制御となる。
【００２９】
このように、空気調和システム１００では、室内機系統である第１冷媒系統１１と、換気装置系統である第２冷媒系統２１とが、それぞれ運転能力を調整する動作を行う。
【００３０】
（圧縮機の周波数と全断熱効率との関係）
図５は、一般的な圧縮機の周波数と全断熱効率との関係を示す図である。
なお、図５において、（ａ）は圧縮機１２の関係を示しており以下「室内機側」と称する。また、（ｂ）は圧縮機２２の関係を示しており以下「換気装置側」と称する。後述する図６から図８においても同様である。
【００３１】
圧縮機１２、２２が断熱圧縮をしているときの動力を理論断熱圧縮動力と言い、実際の圧縮機動力は理論断熱圧縮動力より大きくなる。理論断熱圧縮効率と実際の圧縮機動力との比を全断熱効率と呼び、以下の式（１）のように定義される。断熱効率ηｃと機械効率ηｍはそれぞれ式（２）と式（３）のように表される。
【００３２】
［数１］
全断熱効率＝ηｃ×ηｍ  …（１）
【００３３】
［数２］
断熱効率ηｃ＝理論断熱圧縮動力／（実際の圧縮機動力−機械的摩擦損失動力）
…（２）
【００３４】
［数３］
機械効率ηｍ＝（実際の圧縮機動力−機械的摩擦損失動力）／実際の圧縮機動力
…（３）
【００３５】
図５のように、全断熱効率は圧縮機１２、２２の周波数によって変化する特性があり、Ｆｉ０（Ｈｚ）、Ｆｖ０（Ｈｚ）でそれぞれ効率最大値をとり、周波数Ｆｉ０、Ｆｖ０から上下すると、全断熱効率（以下、効率）が低くなり、空気調和システム全体の熱交換量（以下、能力）に対する圧縮機１２の消費される電力が増加する。
少ない消費電力で効率よく能力を発揮するには、効率の高い周波数Ｆｉ０、Ｆｖ０付近で運転することが望ましい。圧縮機１２、２２の消費電力に対する能力の比率をＣＯＰと呼び、ＣＯＰが高いほど効率のよい運転と言える。
【００３６】
（目標吹出温度の制御の概要）
図６から図８は、本発明の実施の形態１における空気調和システムの目標吹出温度の制御動作を説明する図である。
【００３７】
（Ｆｉ＜Ｆｉ０、かつ、Ｆｖ＜Ｆｖ０の場合）
図６に示すように、室内２００の負荷（温度負荷）が小さいと、第１冷媒系統１１の圧縮機１２の運転周波数Ｆｉが、圧縮機１２の効率が最大となる周波数Ｆｉ０よりも低くなりすぎて効率の悪い運転となる場合がある。また、室外空気ＯＡの負荷（温度負荷）が小さいと、第２冷媒系統２１の圧縮機２２の運転周波数Ｆｖが、圧縮機２２の効率が最大となる周波数Ｆｖ０よりも低くなりすぎて効率の悪い運転となる場合がある。
【００３８】
このような場合、第２冷媒系統２１の目標吹出温度を増加させる。これにより、第２冷媒系統２１の圧縮機２２の運転が停止し、第１冷媒系統１１で処理すべき熱交換量が増え、圧縮機１２の運転周波数が上昇する。
その結果、圧縮機１２の運転周波数Ｆｉが、周波数Ｆｉ０に近づいて運転効率の向上を図ることができる。
このように、第１冷媒系統１１と第２冷媒系統２１の両方を運転するよりも、第１冷媒系統１１に運転を集約した方が、空気調和システム１００全体としてのトータル消費電力の低減を実現できる。
【００３９】
（Ｆｉ＜Ｆｉ０、かつ、Ｆｖ＞Ｆｖ０の場合）
図７に示すように、室内２００の負荷（温度負荷）が小さいと、第１冷媒系統１１の圧縮機１２の運転周波数Ｆｉが、圧縮機１２の効率が最大となる周波数Ｆｉ０よりも低くなりすぎて効率の悪い運転となる場合がある。また、室外空気ＯＡの負荷（温度負荷）が大きいと、第２冷媒系統２１の圧縮機２２の運転周波数Ｆｖが、圧縮機１２の効率が最大となる周波数Ｆｖ０よりも高くなりすぎて効率の悪い運転となる場合がある。
【００４０】
このような場合、第２冷媒系統２１の目標吹出温度を増加させる。これにより、第２冷媒系統２１で処理すべき熱交換量が減り、圧縮機２２の運転周波数が低下する。また、第１冷媒系統１１で処理すべき熱交換量が増え、圧縮機１２の運転周波数が上昇する。
その結果、圧縮機１２の運転周波数Ｆｉが周波数Ｆｉ０に近づき、圧縮機２２の運転周波数Ｆｖが周波数Ｆｖ０近づいて、運転効率の向上を図ることができる。
このように、第１冷媒系統１１と第２冷媒系統２１の能力バランスを調整することで、空気調和システム１００全体としてのトータル消費電力の低減を実現できる。
【００４１】
（Ｆｉ＞Ｆｉ０、かつ、Ｆｖ＜Ｆｖ０の場合）
図８に示すように、室内２００の負荷（温度負荷）が大きいと、第１冷媒系統１１の圧縮機１２の運転周波数Ｆｉが、圧縮機１２の効率が最大となる周波数Ｆｉ０よりも高くなりすぎて効率の悪い運転となる場合がある。また、室外空気ＯＡの負荷（温度負荷）が小さいと、第２冷媒系統２１の圧縮機２２の運転周波数Ｆｖが、圧縮機１２の効率が最大となる周波数Ｆｖ０よりも低くなりすぎて効率の悪い運転となる場合がある。
【００４２】
このような場合、第２冷媒系統２１の目標吹出温度を低下させる。これにより、第２冷媒系統２１で処理すべき熱交換量が増え、圧縮機２２の運転周波数が上昇する。また、第１冷媒系統１１で処理すべき熱交換量が減り、圧縮機１２の運転周波数が低下する。
その結果、圧縮機１２の運転周波数Ｆｉが周波数Ｆｉ０に近づき、圧縮機２２の運転周波数Ｆｖが周波数Ｆｖ０近づいて、運転効率の向上を図ることができる。
このように、第１冷媒系統１１と第２冷媒系統２１の能力バランスを調整することで、空気調和システム１００全体としてのトータル消費電力の低減を実現できる。
【００４３】
（Ｆｉ＞Ｆｉ０、かつ、Ｆｖ＞Ｆｖ０の場合）
室内２００および室外空気ＯＡの負荷（温度負荷）が共に大きく、圧縮機１２の運転周波数Ｆｉが周波数Ｆｉ０よりも高く、圧縮機２２の運転周波数Ｆｖが周波数Ｆｖ０よりも高い場合がある。
このような場合、第１冷媒系統１１と第２冷媒系統２１との両方で温度負荷を処理する必要があるため、目標吹出温度の変更は実施せず、現在の設定値を維持する。
【００４４】
ところで、上述した目標吹出温度の変更動作に代えて、第１冷媒系統１１の目標室内温度を変更することでも、圧縮機１２の運転周波数および圧縮機２２の運転周波数が、それぞれ効率の高い周波数に近づけることもできる。
しかし、目標室内温度の変更は、室内２００の快適性に直接影響する。このため、本実施の形態１においては、目標吹出温度を変更することで、運転効率の向上を図る運転を行いつつ、目標室内温度を一定に保つことで快適性の低下を抑制している。
【００４５】
（目標吹出温度の制御の詳細）
集中コントローラ１０２（設定値制御手段）は、圧縮機１２の運転効率が最大となる周波数Ｆｉ０の情報と、圧縮機２２の運転効率が最大となる周波数Ｆｖ０の情報とが、予め設定（記憶）されている。
集中コントローラ１０２は、圧縮機１２の現在の運転周波数Ｆｉと、圧縮機１２の運転効率が最大となる周波数Ｆｉ０との大小関係と、圧縮機２２の現在の運転周波数Ｆｖと、圧縮機２２の運転効率が最大となる周波数Ｆｖ０との大小関係と、に基づき、目標吹出温度を変更する。そして、集中コントローラ１０２は、目標吹出温度の情報を圧縮機周波数制御手段５１へ送信する。
このような動作の詳細を図９に基づき説明する。
【００４６】
図９は、本発明の実施の形態１における空気調和システムの動作を示すフローチャートである。
集中コントローラ１０２は、圧縮機周波数制御手段４１から、第１冷媒系統１１の圧縮機１２の現在の運転周波数Ｆｉの情報を取得する（Ｓ−１）。
集中コントローラ１０２は、圧縮機周波数制御手段５１から、第２冷媒系統２１の圧縮機２２の現在の運転周波数Ｆｖの情報を取得する（Ｓ−２）。
集中コントローラ１０２は、圧縮機１２の現在の運転周波数Ｆｉが、圧縮機１２の運転効率が最大となる周波数Ｆｉ０より低いか否かを判断する（Ｓ−３）。
【００４７】
圧縮機１２の現在の運転周波数Ｆｉが、圧縮機１２の運転効率が最大となる周波数Ｆｉ０より低い場合（Ｓ−３；ｙｅｓ）、集中コントローラ１０２は、目標吹出温度の設定値を増加させ、変更した目標吹出温度の設定値の情報を圧縮機周波数制御手段５１へ送信する（Ｓ−４）。これにより、圧縮機周波数制御手段５１は、変更された目標吹出温度の設定値に基づき、圧縮機２２の運転周波数を制御する。
【００４８】
一方、圧縮機１２の現在の運転周波数Ｆｉが、圧縮機１２の運転効率が最大となる周波数Ｆｉ０より低くない場合（Ｓ−３；ｎｏ）、集中コントローラ１０２は、圧縮機２２の現在の運転周波数Ｆｖが、圧縮機２２の運転効率が最大となる周波数Ｆｖ０より低いか否かを判断する（Ｓ−５）。
【００４９】
圧縮機２２の現在の運転周波数Ｆｖが、圧縮機２２の運転効率が最大となる周波数Ｆｖ０より低い場合（Ｓ−５；ｙｅｓ）、集中コントローラ１０２は、目標吹出温度の設定値を低下させ、変更した目標吹出温度の設定値の情報を圧縮機周波数制御手段５１へ送信する（Ｓ−６）。これにより、圧縮機周波数制御手段５１は、変更された目標吹出温度の設定値に基づき、圧縮機２２の運転周波数を制御する。
【００５０】
ここで、目標吹出温度の変化量は、予め設定した温度（例えば５℃など）に設定する。このように変動量を固定値とした場合であっても、本処理が繰り返し実施されることで、最終的には効率が最大となる周波数の近傍に収束することとなる。
【００５１】
なお、圧縮機１２の現在の運転周波数Ｆｉと効率が最大となる周波数Ｆｉ０との差が大きいほど、目標吹出温度の変化量を大きくするようにしても良い。また、圧縮機２２の現在の運転周波数Ｆｖと効率が最大となる周波数Ｆｖ０との差が大きいほど、目標吹出温度の変化量を大きくするようにしても良い。
このように、周波数の差が大きいほど変化量を大きくすることで、効率が最大となる周波数の近傍に収束する制御速度を速くすることができる。
また、周波数の差が小さいほど変化量を小さくすることで、圧縮機１２、２２の運転周波数を、運転効率が最大となる周波数に精度良く近づけることができる。
【００５２】
（効果）
以上のように本実施の形態１においては、室内機系統である第１冷媒系統１１と、換気装置系統である第２冷媒系統２１とを備えた空気調和システム１００において、第１冷媒系統１１と第２冷媒系統２１の能力バランスを調整することで、空気調和システム１００全体としてのトータル消費電力の低減を実現できる。
また、圧縮機１２の現在の運転周波数Ｆｉと周波数Ｆｉ０との大小関係と、圧縮機２２の現在の運転周波数Ｆｖと周波数Ｆｖ０との大小関係と、に基づき、目標吹出温度を変更する。このため、空調負荷の推算等の演算処理を行うことなく簡易な判定処理によって、省エネルギー性を向上することができる。
【００５３】
また、室内機系統である第１冷媒系統１１の目標室内温度は変更せず、換気装置系統である第２冷媒系統２１の目標吹出温度を変更することで、運転効率の向上を図る運転を行いつつ、目標室内温度を一定に保つことで快適性の低下を抑制することができる。
【００５４】
なお、本実施の形態１においては、換気装置３の目標吹出温度を変更することで、第１冷媒系統１１と第２冷媒系統２１の能力バランス（熱処理配分）を決定したが、第２冷媒系統２１の圧縮機２２の運転周波数を直接制御しても良い。
すなわち、圧縮機１２の現在の運転周波数Ｆｉが周波数Ｆｉ０よりも小さく、かつ、圧縮機２２の現在の運転周波数Ｆｖが周波数Ｆｖ０よりも小さい場合、圧縮機２２の運転周波数Ｆｖを増加させる。
また、圧縮機１２の現在の運転周波数Ｆｉが周波数Ｆｉ０よりも小さく、かつ、圧縮機２２の現在の運転周波数Ｆｖが周波数Ｆｖ０よりも大きい場合、圧縮機２２の運転周波数Ｆｖを増加させる。
また、圧縮機１２の現在の運転周波数Ｆｉが周波数Ｆｉ０よりも大きく、かつ、圧縮機２２の現在の運転周波数Ｆｖが周波数Ｆｖ０よりも大きい場合、圧縮機２２の運転周波数Ｆｖを減少させる。
このような動作によっても、上述した効果を奏することができる。
【００５５】
（変形例１）
図１０は、本発明の実施の形態１における空気調和システムの目標吹出温度の制御動作の変形例１を示す図である。
図１０（ａ）に示すように、周波数Ｆｉ０を含む周波数の範囲である第１周波数範囲（Ｆｉ１＜Ｆｉ０＜Ｆｉ２）を予め設定し、圧縮機１２の現在の運転周波数Ｆｉが、第１周波数範囲内でない場合、目標吹出温度の変更を実施するようにしても良い。つまり、目標吹出温度の変更動作を適用する周波数範囲を、Ｆｉ１（＜Ｆｉ０）以下、Ｆｉ２（＞Ｆｉ０）以上とする。
また、図１０（ｂ）に示すように、周波数Ｆｖ０を含む周波数の範囲である第２周波数範囲（Ｆｖ１＜Ｆｖ０＜Ｆｖ２）を予め設定し、圧縮機２２の現在の運転周波数Ｆｖが、第２周波数範囲内でない場合、目標吹出温度の変更を実施するようにしても良い。つまり、目標吹出温度の変更動作を適用する周波数範囲を、Ｆｖ１（＜Ｆｖ０）以下、Ｆｖ２（＞Ｆｖ０）以上とする。
【００５６】
このような動作により、圧縮機１２、２２の運転周波数が、効率が高い運転周波数帯にある場合には目標吹出温度の変更が実施されないので、目標吹出温度の変更が頻繁に実施される動作を抑制して安定した動作とすると共に、運転効率の向上を図ることができる。
【００５７】
（変形例２）
目標吹出温度を変更したあと、予め設定した時間の経過を待ってから、再度、目標吹出温度の変更動作を実施するようにしても良い。
以下、図１１を用いて図９との相違点を中心に説明する。
【００５８】
図１１は、本発明の実施の形態１における空気調和システムの動作の変形例２を示すフローチャートである。
図１１に示すように、Ｓ−４で目標吹出温度を増加させたとき、タイマーをスタートさせる。また、Ｓ−６で目標吹出温度を増加させたとき、タイマーをスタートさせる。
集中コントローラ１０２は、タイマーが、予め設定した時間Ｔ１以上であるか否かを判断する（Ｓ−７）。そして、タイマーが、予め設定した時間Ｔ１以上である場合には、Ｓ−１以降の動作を再度実施する。
【００５９】
このような動作により、目標吹出温度の設定値を変更した後、第１冷媒系統１１および第２冷媒系統２１の運転状態が安定した後、再度、圧縮機１２、２２の運転効率の判定を行う動作が実施される。よって、圧縮機１２、２２の運転周波数を、効率が最大となる周波数へ精度良く近づけることができる。
【００６０】
（変形例３）
上記の説明では、室内機系統である第１冷媒系統１１と、換気装置系統である第２冷媒系統２１とがそれぞれ１つの場合を説明したが、第１冷媒系統１１と第２冷媒系統２１の数はそれぞれ任意の数でよい。
【００６１】
図１２は、本発明の実施の形態１における空気調和システムの変形例３を示す概略図である。
図１２に示すように、同一の室内２００を空調対象とする、３つの第１冷媒系統１１と２つの第２冷媒系統２１とを備えた構成であっても良い。
このように、複数の冷媒系統を備えた場合においては、集中コントローラ１０２は、複数の第１冷媒系統１１のそれぞれの圧縮機１２の運転周波数の平均値を、圧縮機１２の現在の運転周波数Ｆｉとする。また、複数の第２冷媒系統２１のそれぞれの圧縮機２２の運転周波数の平均値を、圧縮機２２の現在の運転周波数Ｆｖとする。
例えば図１２の例では、３つの第１冷媒系統１１の圧縮機１２の運転周波数をそれぞれ、ｆｉ＿１〜ｆｉ＿３とすると、圧縮機１２の現在の運転周波数は、Ｆｉ＝（ｆｉ＿１＋ｆｉ＿２＋ｆｉ＿３）／３、となる。
また、２つの第２冷媒系統２１の圧縮機２２の運転周波数をそれぞれ、ｆｖ＿１、ｆｖ＿２とすると、圧縮機２２の現在の運転周波数は、Ｆｖ＝（ｆｖ＿１＋ｆｖ＿２）／２、となる。
【００６２】
このような構成においても、上述した動作を行うことで、第１冷媒系統１１と第２冷媒系統２１の能力バランスを調整することができ、空気調和システム１００全体としてのトータル消費電力の低減を実現できる。
【００６３】
実施の形態２．
本実施の形態２における空気調和システムは、目標吹出温度の設定値を、第１冷媒系統１１の蒸発温度および第２冷媒系統２１の蒸発温度に基づいて変更する。
なお、本実施の形態２における空気調和システムの構成および冷媒系統の構成は、実施の形態１の構成（図１、図２）と同様であり、同一の構成には同一の符号を付する。
以下、実施の形態１との相違点を中心に説明する。
【００６４】
図１３は本発明の実施の形態２における冷媒系統の概略図である。
図１３に示すように、第１冷媒系統１１は、上記実施の形態１の構成に加え、蒸発温度検出手段４２を更に備えている。
蒸発温度検出手段４２は、圧縮機１２に吸入される冷媒の温度を検出する。
圧縮機周波数制御手段４１は、蒸発温度検出手段４２の検出値の情報を、集中コントローラ１０２へ送信する。
【００６５】
第２冷媒系統２１は、上記実施の形態１の構成に加え、蒸発温度検出手段５２を更に備えている。
蒸発温度検出手段５２は、圧縮機２２に吸入される冷媒の温度を検出する。
圧縮機周波数制御手段５１は、蒸発温度検出手段５２の検出値の情報を、集中コントローラ１０２へ送信する。
【００６６】
集中コントローラ１０２は、蒸発温度検出手段４２および蒸発温度検出手段５２の検出値に基づき、目標吹出温度の設定値を変更し、目標吹出温度の情報を圧縮機周波数制御手段５１へ送信する。詳細は後述する。
【００６７】
なお、蒸発温度検出手段４２、および蒸発温度検出手段５２は、センサー装置によって構成されている。
【００６８】
（蒸発温度と効率との関係）
図１４は、一般的な冷媒回路における蒸発温度と効率との関係を示す図である。
図１４に示すように、効率は蒸発温度によって変化する特性があり、蒸発温度が低いほど効率が低くなる。
つまり、第１冷媒系統１１の蒸発温度が低いほど、第１冷媒系統１１の熱交換量（能力）に対する圧縮機１２で消費される電力が増加し、第１冷媒系統１１の効率が低下する。
また、第２冷媒系統２１の蒸発温度が低いほど、第２冷媒系統２１の熱交換量（能力）に対する圧縮機２２で消費される電力が増加し、第２冷媒系統２１の効率が低下する。
【００６９】
空気調和システム１００全体としてのトータルの効率は、空気調和システム１００全体の熱交換量（能力）に対する圧縮機１２、２２で消費される電力である。このため、第１冷媒系統１１および第２冷媒系統２１のうち、熱交換量が大きい方の効率が、空気調和システム１００全体の効率に与える影響が大きくなる。
すなわち、第１冷媒系統１１および第２冷媒系統２１のうち、熱交換量の大きい方の蒸発温度を上昇させ、熱交換量の小さい方の蒸発温度を低下させることで、室内２００内の負荷を処理しつつ、空気調和システム１００全体の効率の向上を実現できる。
【００７０】
（目標吹出温度の制御の概要）
図１５、図１６は、本発明の実施の形態２における空気調和システムの目標吹出温度の制御動作を説明する図である。
【００７１】
（室内熱交換器１６の熱交換量＞冷却器２６の熱交換量）
室内熱交換器１６の熱交換量が冷却器２６の熱交換量よりも大きい場合、第１冷媒系統１１の効率の方が第２冷媒系統２１の効率よりも、空気調和システム１００全体の効率に与える影響が大きい。
このような構成において、図１５に示すように、第１冷媒系統１１の蒸発温度ＥＴｉが、第２冷媒系統２１の蒸発温度ＥＴｏよりも小さいと、第１冷媒系統１１の効率が第２冷媒系統２１の効率よりも小さくなり、空気調和システム１００全体の効率が悪い運転となる場合がある。
【００７２】
このため、室内熱交換器１６の熱交換量が冷却器２６の熱交換量よりも大きい構成において、第１冷媒系統１１の蒸発温度ＥＴｉが第２冷媒系統２１の蒸発温度ＥＴｏよりも小さい場合、第２冷媒系統２１の目標吹出温度を減少させる。
これにより、第２冷媒系統２１で処理すべき負荷が増え、第２冷媒系統２１の蒸発温度ＥＴｏが低下する。また、第１冷媒系統１１で処理すべき負荷が減り、第１冷媒系統１１の蒸発温度ＥＴｉが上昇する。
その結果、第１冷媒系統１１の効率が向上し、空気調和システム１００全体としての効率の向上を図ることができる。
このように、第１冷媒系統１１と第２冷媒系統２１の能力バランスを調整することで、空気調和システム１００全体としてのトータル消費電力の低減を実現できる。
【００７３】
なお、第１冷媒系統１１の蒸発温度ＥＴｉが、第２冷媒系統２１の蒸発温度ＥＴｏ以上の場合には、目標吹出温度の変更は実施せず、現在の設定値を維持する。
【００７４】
（室内熱交換器１６の熱交換量＜冷却器２６の熱交換量）
冷却器２６の熱交換量が室内熱交換器１６の熱交換量よりも大きい場合、第２冷媒系統２１の効率の方が第１冷媒系統１１の効率よりも、空気調和システム１００全体の効率に与える影響が大きい。
このような構成において、図１６に示すように、第２冷媒系統２１の蒸発温度ＥＴｏが、第１冷媒系統１１の蒸発温度ＥＴｉよりも小さいと、第２冷媒系統２１の効率が第１冷媒系統１１の効率よりも小さくなり、空気調和システム１００全体の効率が悪い運転となる場合がある。
【００７５】
このため、冷却器２６の熱交換量が室内熱交換器１６の熱交換量よりも大きい構成において、第２冷媒系統２１の蒸発温度ＥＴｏが第１冷媒系統１１の蒸発温度ＥＴｉよりも小さい場合、第２冷媒系統２１の目標吹出温度を増加させる。
これにより、第２冷媒系統２１で処理すべき負荷が減り、第２冷媒系統２１の蒸発温度ＥＴｏが増加する。また、第１冷媒系統１１で処理すべき負荷が増え、第１冷媒系統１１の蒸発温度ＥＴｉが低下する。
その結果、第２冷媒系統２１の効率が向上し、空気調和システム１００全体としての効率の向上を図ることができる。
このように、第１冷媒系統１１と第２冷媒系統２１の能力バランスを調整することで、空気調和システム１００全体としてのトータル消費電力の低減を実現できる。
【００７６】
なお、第２冷媒系統２１の蒸発温度ＥＴｏが、第１冷媒系統１１の蒸発温度ＥＴｉ以上の場合には、目標吹出温度の変更は実施せず、現在の設定値を維持する。
【００７７】
ここで、目標吹出温度の変化量は、予め設定した温度（例えば５℃など）に設定する。このように変動量を固定値とした場合であっても、上述した変更動作が繰り返し実施されることで、最終的には効率が最大となる周波数の近傍に収束することとなる。
【００７８】
なお、第１冷媒系統１１の蒸発温度ＥＴｉと第２冷媒系統２１の蒸発温度ＥＴｏとの差が大きいほど、目標吹出温度の変化量を大きくするようにしても良い。
このように、蒸発温度の差が大きいほど変化量を大きくすることで、効率が向上する蒸発温度に収束する制御速度を速くすることができる。
【００７９】
（効果）
以上のように本実施の形態２においては、室内機系統である第１冷媒系統１１と、換気装置系統である第２冷媒系統２１とを備えた空気調和システム１００において、第１冷媒系統１１と第２冷媒系統２１の能力バランスを調整することで、空気調和システム１００全体としてのトータル消費電力の低減を実現できる。
また、第１冷媒系統１１の蒸発温度ＥＴｉと第２冷媒系統２１の蒸発温度ＥＴとの大小関係に基づき、目標吹出温度を変更する。このため、空調負荷の推算等の演算処理を行うことなく簡易な判定処理によって、省エネルギー性を向上することができる。
【００８０】
また、室内機系統である第１冷媒系統１１の目標室内温度は変更せず、換気装置系統である第２冷媒系統２１の目標吹出温度を変更することで、運転効率の向上を図る運転を行いつつ、目標室内温度を一定に保つことで快適性の低下を抑制することができる。
【００８１】
（変形例１）
第１冷媒系統１１の蒸発温度ＥＴｉと第２冷媒系統２１の蒸発温度ＥＴとの温度差が、予め設定された温度差以上の場合、目標吹出温度の変更を実施するようにしても良い。
このような動作により、第１冷媒系統１１の蒸発温度ＥＴｉと第２冷媒系統２１の蒸発温度ＥＴとの温度差が、予め設定された温度差未満の場合には、目標吹出温度の変更が実施されないので、目標吹出温度の変更が頻繁に実施される動作を抑制して安定した動作とすると共に、運転効率の向上を図ることができる。
【００８２】
（変形例２）
第１冷媒系統１１の蒸発温度ＥＴｉと第２冷媒系統２１の蒸発温度ＥＴとの大小関係に基づき、目標吹出温度を変更したあと、予め設定した時間の経過を待ってから、再度、目標吹出温度の変更動作を実施するようにしても良い。
このような動作により、目標吹出温度の設定値を変更した後、第１冷媒系統１１および第２冷媒系統２１の運転状態が安定した後、再度、第１冷媒系統１１の蒸発温度ＥＴｉと第２冷媒系統２１の蒸発温度ＥＴとの大小関係の判定を行う動作が実施される。よって、第１冷媒系統１１の蒸発温度ＥＴｉと第２冷媒系統２１の蒸発温度ＥＴを、効率が向上する関係となる蒸発温度へ精度良く近づけることができる。
【００８３】
（変形例３）
上記の説明では、室内機系統である第１冷媒系統１１と、換気装置系統である第２冷媒系統２１とがそれぞれ１つの場合を説明したが、第１冷媒系統１１と第２冷媒系統２１の数はそれぞれ任意の数でよい。
【００８４】
図１７は、本発明の実施の形態２における空気調和システムの変形例３を示す概略図である。
図１７に示すように、同一の室内２００を空調対象とする、３つの第１冷媒系統１１と２つの第２冷媒系統２１とを備えた構成であっても良い。
このように、複数の冷媒系統を備えた場合においては、集中コントローラ１０２は、複数の第１冷媒系統１１のそれぞれの蒸発温度の平均値を、第１冷媒系統１１の蒸発温度ＥＴｉとする。また、複数の第２冷媒系統２１のそれぞれの蒸発温度の平均値を、第２冷媒系統２１の蒸発温度ＥＴｏとする。
例えば図１７の例では、３つの第１冷媒系統１１の蒸発温度をそれぞれ、ＥＴｉ＿１〜ＥＴｉ＿３とすると、第１冷媒系統１１の現在の蒸発温度は、ＥＴｉ＝（ＥＴｉ＿１＋ＥＴｉ＿２＋ＥＴｉ＿３）／３、となる。
また、２つの第２冷媒系統２１の蒸発温度をそれぞれ、ＥＴｏ＿１、ＥＴｏ＿２とすると、第２冷媒系統２１の現在の蒸発温度は、ＥＴｏ＝（ＥＴｏ＿１＋ＥＴｏ＿２）／２、となる。
【００８５】
このような構成においても、上述した動作を行うことで、第１冷媒系統１１と第２冷媒系統２１の能力バランスを調整することができ、空気調和システム１００全体としてのトータル消費電力の低減を実現できる。
【符号の説明】
【００８６】
１  室内機、２  室内機系統の室外機、３  換気装置、４  換気装置系統の室外機、１１  第１冷媒系統、１２  圧縮機、１３  四方弁、１４  室外熱交換器、１５  膨張弁、１６  室内熱交換器、１７  送風機、１８  送風機、２１  第２冷媒系統、２２  圧縮機、２３  四方弁、２４  室外熱交換器、２５  膨張弁、２６  冷却器、２７  送風機、２８  給気用送風機、２９  排気用送風機、３０  吹出空気温度検出手段、４１  圧縮機周波数制御手段、４２  蒸発温度検出手段、４３  吸込温湿度検出手段、５１  圧縮機周波数制御手段、５２  蒸発温度検出手段、１００  空気調和システム、１０２  集中コントローラ、１０３  伝送線、１０４  冷媒配管、１０５  冷媒配管、２００  室内。
【図１】
2015173896.tif 000003
【図２】
2015173896.tif 000004
【図３】
2015173896.tif 000005
【図４】
2015173896.tif 000006
【図５】
2015173896.tif 000007
【図６】
2015173896.tif 000008
【図７】
2015173896.tif 000009
【図８】
2015173896.tif 000010
【図９】
2015173896.tif 000011
【図１０】
2015173896.tif 000012
【図１１】
2015173896.tif 000013
【図１２】
2015173896.tif 000014
【図１３】
2015173896.tif 000015
【図１４】
2015173896.tif 000016
【図１５】
2015173896.tif 000017
【図１６】
2015173896.tif 000018
【図１７】
2015173896.tif 000019
【手続補正書】
【提出日】平成28年8月1日(2016.8.1)
【手続補正１】
【補正対象書類名】明細書
【補正対象項目名】０００８
【補正方法】変更
【補正の内容】
【０００８】
本発明に係る空気調和システムは、第１圧縮機、および室内熱交換器を有し、冷媒が循環する第１冷媒回路と、室内の室内空気を前記室内熱交換器に通過させ、前記室内へ供給する室内機と、前記室内空気の温度が目標室内温度となるように前記第１圧縮機の運転周波数を制御する第１周波数制御手段と、第２圧縮機、および換気用熱交換器を有し、冷媒が循環する第２冷媒回路と、室外から室外空気を導入し、前記換気用熱交換器を通過させ、前記室内へ吹出空気を供給する換気装置と、前記吹出空気の温度が目標吹出温度となるように前記第２圧縮機の運転周波数を制御する第２周波数制御手段と、前記目標吹出温度の設定値を、前記第１圧縮機の周波数および前記第２圧縮機の周波数に基づいて変更する設定値制御手段と、を備えたものである。
【手続補正２】
【補正対象書類名】特許請求の範囲
【補正対象項目名】全文
【補正方法】変更
【補正の内容】
【特許請求の範囲】
【請求項１】
第１圧縮機、および室内熱交換器を有し、冷媒が循環する第１冷媒回路と、
室内の室内空気を前記室内熱交換器に通過させ、前記室内へ供給する室内機と、
前記室内空気の温度が目標室内温度となるように前記第１圧縮機の運転周波数を制御する第１周波数制御手段と、
第２圧縮機、および換気用熱交換器を有し、冷媒が循環する第２冷媒回路と、
室外から室外空気を導入し、前記換気用熱交換器を通過させ、前記室内へ吹出空気を供給する換気装置と、
前記吹出空気の温度が目標吹出温度となるように前記第２圧縮機の運転周波数を制御する第２周波数制御手段と、
前記目標吹出温度の設定値を、前記第１圧縮機の周波数および前記第２圧縮機の周波数に基づいて変更する設定値制御手段と、を備えた
空気調和システム。
【請求項２】
前記設定値制御手段は、
前記第１圧縮機の運転周波数と、前記第１圧縮機の運転効率が最大となる第１周波数との大小関係と、
前記第２圧縮機の運転周波数と、前記第２圧縮機の運転効率が最大となる第２周波数との大小関係と、に基づき、
前記目標吹出温度を変更する
請求項１に記載の空気調和システム。
【請求項３】
前記設定値制御手段は、
前記第１圧縮機の運転周波数が、前記第１周波数よりも小さく、かつ、
前記第２圧縮機の運転周波数が、前記第２周波数よりも小さい場合、
前記目標吹出温度を増加させる
請求項２に記載の空気調和システム。
【請求項４】
前記設定値制御手段は、
前記第１圧縮機の運転周波数が、前記第１周波数よりも小さく、かつ、
前記第２圧縮機の運転周波数が、前記第２周波数よりも大きい場合、
前記目標吹出温度を増加させる
請求項２または３に記載の空気調和システム。
【請求項５】
前記設定値制御手段は、
前記第１圧縮機の運転周波数が、前記第１周波数よりも大きく、かつ、
前記第２圧縮機の運転周波数が、前記第２周波数よりも小さい場合、
前記目標吹出温度を減少させる
請求項２〜４の何れか一項に記載の空気調和システム。
【請求項６】
前記設定値制御手段は、
前記第１圧縮機の運転周波数と、前記第１周波数との差が大きいほど、前記目標吹出温度の変化量を大きくする
請求項２〜５の何れか一項に記載の空気調和システム。
【請求項７】
前記設定値制御手段は、
前記第２圧縮機の運転周波数と、前記第２周波数との差が大きいほど、前記目標吹出温度の変化量を大きくする
請求項２〜６の何れか一項に記載の空気調和システム。
【請求項８】
前記設定値制御手段は、
前記第１周波数を含む周波数の範囲である第１周波数範囲が予め設定され、
前記第１圧縮機の運転周波数が、前記第１周波数範囲内でない場合、
前記目標吹出温度の変更を実施する
請求項２〜７の何れか一項に記載の空気調和システム。
【請求項９】
前記設定値制御手段は、
前記第２周波数を含む周波数の範囲である第２周波数範囲が予め設定され、
前記第２圧縮機の運転周波数が、前記第２周波数範囲内でない場合、
前記目標吹出温度の変更を実施する
請求項２〜８の何れか一項に記載の空気調和システム。
【請求項１０】
前記設定値制御手段は、
前記目標吹出温度を変更したあと、予め設定した時間を経過したとき、
前記第１圧縮機の運転周波数と、前記第１周波数との大小関係と、
前記第２圧縮機の運転周波数と、前記第２周波数との大小関係と、に基づき、
前記目標吹出温度を、再度変更する
請求項２〜９の何れか一項に記載の空気調和システム。
【請求項１１】
前記第１冷媒回路と前記室内機とから構成される第１冷媒系統を複数備え、
前記設定値制御手段は、
複数の前記第１冷媒系統のそれぞれの前記第１圧縮機の運転周波数の平均値を、
前記第１圧縮機の運転周波数とする
請求項１〜１０の何れか一項に記載の空気調和システム。
【請求項１２】
前記第２冷媒回路と前記換気装置とから構成される第２冷媒系統を複数備え、
前記設定値制御手段は、
複数の前記第２冷媒系統のそれぞれの前記第２圧縮機の運転周波数の平均値を、
前記第２圧縮機の運転周波数とする
請求項１〜１１の何れか一項に記載の空気調和システム。
【請求項１３】
前記第１冷媒回路と前記室内機とから構成される第１冷媒系統と、
前記第２冷媒回路と前記換気装置とから構成される第２冷媒系統と、をそれぞれ複数備え、
前記設定値制御手段は、
複数の前記第１冷媒系統のそれぞれの前記第１圧縮機の運転周波数の平均値を、前記第１圧縮機の運転周波数とし、
複数の前記第２冷媒系統のそれぞれの前記第２圧縮機の運転周波数の平均値を、前記第２圧縮機の運転周波数とする
請求項１〜１０の何れか一項に記載の空気調和システム。
【請求項１４】
第１圧縮機、および室内熱交換器を有し、冷媒が循環する第１冷媒回路と、
室内の室内空気を前記室内熱交換器に通過させ、前記室内へ供給する室内機と、
前記室内空気の温度が目標室内温度となるように前記第１冷媒回路の蒸発温度を制御する第１蒸発温度制御手段と、
第２圧縮機、および換気用熱交換器を有し、冷媒が循環する第２冷媒回路と、
室外から室外空気を導入し、前記換気用熱交換器を通過させ、前記室内へ吹出空気を供給する換気装置と、
前記吹出空気の温度が目標吹出温度となるように前記第２冷媒回路の蒸発温度を制御する第２蒸発温度制御手段と、
前記目標吹出温度の設定値を、前記第１冷媒回路の蒸発温度および前記第２冷媒回路の蒸発温度に基づいて変更する設定値制御手段と、
を備えた
空気調和システム。
【請求項１５】
前記設定値制御手段は、
前記第１冷媒回路の蒸発温度と前記第２冷媒回路の蒸発温度との大小関係と、に基づき、
前記目標吹出温度を変更する
請求項１４に記載の空気調和システム。
【請求項１６】
前記室内熱交換器は、前記換気用熱交換器よりも熱交換量が大きく、
前記設定値制御手段は、
前記室内熱交換器および前記換気用熱交換器が蒸発器として機能する場合において、
前記第１冷媒回路の蒸発温度が前記第２冷媒回路の蒸発温度よりも小さい場合、
前記目標吹出温度を減少させる
請求項１４または１５に記載の空気調和システム。
【請求項１７】
前記換気用熱交換器は、前記室内熱交換器よりも熱交換量が大きく、
前記設定値制御手段は、
前記室内熱交換器および前記換気用熱交換器が蒸発器として機能する場合において、
前記第２冷媒回路の蒸発温度が前記第１冷媒回路の蒸発温度よりも小さい場合、
前記目標吹出温度を増加させる
請求項１４または１５に記載の空気調和システム。
【請求項１８】
前記設定値制御手段は、
前記第１冷媒回路の蒸発温度と前記第２冷媒回路の蒸発温度との差が大きいほど、前記目標吹出温度の変化量を大きくする
請求項１４〜１７の何れか一項に記載の空気調和システム。
【請求項１９】
前記設定値制御手段は、
前記第１冷媒回路の蒸発温度と前記第２冷媒回路の蒸発温度との差が、予め設定された温度差以上の場合、
前記目標吹出温度の変更を実施する
請求項１４〜１８の何れか一項に記載の空気調和システム。
【請求項２０】
前記設定値制御手段は、
前記目標吹出温度を変更したあと、予め設定した時間を経過したとき、
前記第１冷媒回路の蒸発温度と前記第２冷媒回路の蒸発温度との大小関係に基づき、
前記目標吹出温度を、再度変更する
請求項１４〜１９の何れか一項に記載の空気調和システム。
【請求項２１】
前記第１冷媒回路と前記室内機とから構成される第１冷媒系統を複数備え、
前記設定値制御手段は、
複数の前記第１冷媒系統のそれぞれの前記第１冷媒回路の蒸発温度の平均値を、
前記第１冷媒回路の蒸発温度とする
請求項１４〜２０の何れか一項に記載の空気調和システム。
【請求項２２】
前記第２冷媒回路と前記換気装置とから構成される第２冷媒系統を複数備え、
前記設定値制御手段は、
複数の前記第２冷媒系統のそれぞれの前記第２冷媒回路の蒸発温度の平均値を、
前記第２冷媒回路の蒸発温度とする
請求項１４〜２１の何れか一項に記載の空気調和システム。
【請求項２３】
前記第１冷媒回路と前記室内機とから構成される第１冷媒系統と、
前記第２冷媒回路と前記換気装置とから構成される第２冷媒系統と、をそれぞれ複数備え、
前記設定値制御手段は、
複数の前記第１冷媒系統のそれぞれの前記第１冷媒回路の蒸発温度の平均値を、前記第１冷媒回路の蒸発温度とし、
複数の前記第２冷媒系統のそれぞれの前記第２冷媒回路の蒸発温度の平均値を、前記第２冷媒回路の蒸発温度とする
請求項１４〜２０の何れか一項に記載の空気調和システム。
【国際調査報告】
2015173896.tif 000020
2015173896.tif 000021
2015173896.tif 000022
2015173896.tif 000023
2015173896.tif 000024